(57)【要約】【課題】ネットワークを介した設備の監視において、データ転送のための処理を容易にし、かつデータ転送のトラヒックのネットワークへの影響を低減する技術を提供する。【解決手段】管理装置は、管理対象である設備の設備データを自律的なタイミングで定期的に取得し、取得した設備データと前回通知時に取得した設備データとの差分を示す差分データを生成する。管理装置からネットワーク経由で情報サーバに差分データを通知する。情報サーバは、管理装置からの差分データを受信し、差分データに基づいて設備データを更新する。【選択図】図１
2009146032.tif 000002
【特許請求の範囲】
【請求項１】
管理対象である設備の設備データを自律的なタイミングで定期的に取得し、取得した前記設備データと前回通知時に取得した設備データとの差分を示す差分データを生成し、前記差分データをネットワーク経由で通知する管理装置と、
前記設備の設備データを管理しており、前記管理装置からの前記差分データを前記ネットワーク経由で受信すると、該差分データに基づいて前記設備データを更新する情報サーバと、を有する管理システム。
【請求項２】
前記管理装置が複数あり、複数の前記管理装置のそれぞれが自律的に動作しており、
前記情報サーバは、前記複数の管理装置に関する前記設備データを管理しており、いずれかの管理装置から差分データを受信すると、該管理装置に該当する設備データを更新する、請求項１に記載の管理システム。
【請求項３】
前記管理装置は、前記設備データの更新された部分をデータ更新情報として記録しており、所定のタイミングで、前記データ更新情報を参照して前記差分データを生成する、請求項１または２の記載の管理システム。
【請求項４】
前記管理装置は前記設備を監視しており、前記設備の状態が変化すると、前記設備データに含まれる状態データを更新する、請求項１から３のいずれか１項に記載の管理システム。
【請求項５】
前記管理装置は前記設備に対する設定を行うことができ、前記設備に設定を行うと、前記設備データに含まれる管理データを更新する、請求項１から４のいずれか１項に記載の管理システム。
【請求項６】
前記ネットワーク経由で前記情報サーバにアクセスして前記設備データを取得し、表示する表示端末を更に有する、請求項１から５のいずれか１項に記載の管理システム。
【請求項７】
ネットワーク経由で接続された情報サーバとともに管理システムを構成する管理装置であって、
管理対象である設備の設備データを管理する管理手段と、
前記管理手段に管理されている前記設備データと前回通知時に取得した設備データとの差分を示す差分データを自律的なタイミングで定期的に生成する差分検出手段と、
前記差分検出手段で生成された前記差分データをネットワーク経由で前記情報サーバに通知するデータ転送手段と、を有する管理装置。
【請求項８】
前記差分検出手段は、前記設備データの更新された部分をデータ更新情報として記録しており、所定のタイミングで、前記データ更新情報を参照して前記差分データを生成する、請求項７の記載の管理装置。
【請求項９】
前記管理手段は、前記設備を監視しており、前記設備の状態が変化すると、前記設備データに含まれる状態データを更新する、請求項７または８に記載の管理装置。
【請求項１０】
前記管理手段は前記設備に対する設定を行うことができ、前記設備に設定を行うと、前記設備データに含まれる管理データを更新する、請求項７から９のいずれか１項に記載の管理装置。
【請求項１１】
管理対象である設備を管理する管理装置とネットワーク経由で接続され、該管理装置とともに管理システムを構成する情報サーバであって、
前記管理装置から前記ネットワーク経由で、前記設備の設備データと前回通知時の設備データとの差分を示す差分データを受信するデータ受信手段と、
前記設備の設備データを管理しており、前記データ受信手段で受信された前記差分データに基づいて、前記設備データを更新するデータ管理手段と、を有する情報サーバ。
【請求項１２】
それぞれが自律的に動作する複数の前記管理装置と接続しており、
前記データ管理手段は、前記複数の管理装置に関する前記設備データを管理しており、前記データ受信手段が、いずれかの管理装置から差分データを受信すると、該管理装置に該当する設備データを更新する、請求項１１に記載の情報サーバ。
【請求項１３】
アクセスしてきた表示端末に前記設備データを提供するデータ提供手段を更に有する、請求項１１または１２に記載の情報サーバ。
【請求項１４】
管理装置において、
管理対象である設備の設備データを自律的なタイミングで定期的に取得し、
取得した前記設備データと前回通知時に取得した設備データとの差分を示す差分データを生成し、
前記差分データをネットワーク経由で通知し、
前記設備の設備データを管理している情報サーバにおいて、
前記管理装置からの前記差分データを前記ネットワーク経由で受信し、
該差分データに基づいて前記設備データを更新する、を有する管理方法。
【請求項１５】
前記管理装置が複数あり、複数の前記管理装置のそれぞれが自律的に動作しており、
前記情報サーバにおいて、
前記複数の管理装置に関する前記設備データを管理しており、いずれかの管理装置から差分データを受信すると、該管理装置に該当する設備データを更新する、請求項１４に記載の管理方法。
【請求項１６】
前記管理装置において、前記設備データの更新された部分をデータ更新情報として記録しており、所定のタイミングで、前記データ更新情報を参照して前記差分データを生成する、請求項１４または１５の記載の管理方法。
【請求項１７】
前記管理装置において、前記設備を監視しており、前記設備の状態が変化すると、前記設備データに含まれる状態データを更新する、請求項１４から１６のいずれか１項に記載の管理方法。
【請求項１８】
前記管理装置から前記設備に対して設定を行うことができ、前記管理装置において、前記設備に設定を行うと、前記設備データに含まれる管理データを更新する、請求項１４から１７のいずれか１項に記載の管理方法。
【請求項１９】
前記ネットワークに接続した表示端末において、前記情報サーバにアクセスして前記設備データを取得し、表示する、請求項１４から１８のいずれか１項に記載の管理方法。
【発明の詳細な説明】
【技術分野】
【０００１】
本発明は、ネットワークを介して設備を管理する管理システムに関する。
【背景技術】
【０００２】
インターネットやイントラネット等のネットワークを介して複数の設備を集中的に管理する管理システムがある。この種の管理システムの一例について簡単に説明する。
【０００３】
管理システムは情報サーバと複数の管理装置とを有している。
【０００４】
設備を監視し、制御する管理装置が各拠点に配置される。管理装置は設備の状態および設備の管理情報を示すデータを管理している。設備に何らかの状態変化があるとデータが更新される。また設備に対して管理装置から何らかの設定をするとデータが更新される。
【０００５】
情報サーバは、ネットワーク経由で各管理装置からデータを取得し、取得したデータを集中的に管理する。情報サーバは、自身で直接に、あるいはアクセスしてきた端末を介して、監視者に各拠点の設備状況の情報を提供することにしてもよい。
【０００６】
各拠点の管理装置から情報サーバにデータを収集する方法として、予め定められた時刻になると情報サーバが管理装置に要求し、管理装置が要求に応じてデータを情報サーバに通知するという方法がある（特許文献１参照）。
【特許文献１】特開２００３−３０８１９２号公報
【発明の開示】
【発明が解決しようとする課題】
【０００７】
ネットワークを介して設備を管理する管理システムでは、管理装置から情報サーバへデータを通知することによって生じるトラヒックのネットワークへの影響に配慮することが求められる。上述した特許文献１に開示された方法では、情報サーバが管理装置へ要求を出すタイミングを調整することで、ネットワーク上のデータが短時間に集中するのを防止することができる。しかし、情報サーバから要求を出すタイミングを調整するための制御が必要となり、情報サーバの処理が複雑化するという問題があった。
【０００８】
本発明の目的は、ネットワークを介した設備の監視において、データ転送のための処理を容易にし、かつデータ転送のトラヒックのネットワークへの影響を低減する技術を提供することである。
【課題を解決するための手段】
【０００９】
上記目的を達成するために、本発明の管理システムは、管理対象である設備の設備データを自律的なタイミングで定期的に取得し、取得した前記設備データと前回通知時に取得した設備データとの差分を示す差分データを生成し、前記差分データをネットワーク経由で通知する管理装置と、
前記設備の設備データを管理しており、前記管理装置からの前記差分データを前記ネットワーク経由で受信すると、該差分データに基づいて前記設備データを更新する情報サーバと、を有している。
【００１０】
本発明の管理装置は、ネットワーク経由で接続された情報サーバとともに管理システムを構成する管理装置であって、
管理対象である設備の設備データを管理する管理手段と、
前記管理手段に管理されている前記設備データと前回通知時に取得した設備データとの差分を示す差分データを自律的なタイミングで定期的に生成する差分検出手段と、
前記差分検出手段で生成された前記差分データをネットワーク経由で前記情報サーバに通知するデータ転送手段と、を有している。
【００１１】
本発明の情報サーバは、管理対象である設備を管理する管理装置とネットワーク経由で接続され、該管理装置とともに管理システムを構成する情報サーバであって、
前記管理装置から前記ネットワーク経由で、前記設備の設備データと前回通知時の設備データとの差分を示す差分データを受信するデータ受信手段と、
前記設備の設備データを管理しており、前記データ受信手段で受信された前記差分データに基づいて、前記設備データを更新するデータ管理手段と、を有している。
【００１２】
本発明の管理方法は、
管理装置において、
管理対象である設備の設備データを自律的なタイミングで定期的に取得し、
取得した前記設備データと前回通知時に取得した設備データとの差分を示す差分データを生成し、
前記差分データをネットワーク経由で通知し、
前記設備の設備データを管理している情報サーバにおいて、
前記管理装置からの前記差分データを前記ネットワーク経由で受信し、
該差分データに基づいて前記設備データを更新するものである。
【発明の効果】
【００１３】
本発明によれば、情報サーバからのタイミング調整なしで管理装置が情報サーバにデータを通知するので、情報サーバは管理装置の動作タイミングを制御する必要がなく、処理が容易になる。管理装置から情報サーバへのトラヒックの集中による輻輳が懸念されるが、管理装置が差分データだけを通知し、差分データを受信した情報サーバが自身の管理している設備データを更新するので、トラヒックが低減され、輻輳の可能性が緩和される。
【発明を実施するための最良の形態】
【００１４】
本発明を実施するための形態について図面を参照して詳細に説明する。
【００１５】
図１は、本実施形態の管理システムの構成を示すブロック図である。図１を参照すると、管理システムは管理装置１１，１２と情報サーバ１３とを有している。管理装置１１，１２と情報サーバ１３はネットワーク１４を介して接続されている。
【００１６】
管理装置１１，１２は各拠点に配置される。管理装置１１，１２は拠点の設備（不図示）を監視し、更新された状態のデータを情報サーバ１３に通知する。また管理装置１１，１２は設備に対して設定および制御を行い、更新された管理情報のデータを情報サーバ１３に通知する。本実施形態でいう設備はビルに付帯する各種設備の全般をいう。例えば、起給排水、電力供給、空調、エレベータ、通信、防災・警備、自動ドア、エスカレータなどの設備がこれに含まれる。
【００１７】
具体的には、監視装置１１，１２は、定期的に、設備の状態や管理情報のデータ（以下「設備データ」という）における前回通知時の設備データからの更新を調べ、設備データに更新された部分があれば、その部分のデータ（以下「差分データ」という）をネットワーク１４経由で情報サーバ１３に通知する。
【００１８】
情報サーバ１３は、各拠点にある設備の設備データを集中的に管理しており、管理装置１１，１２から差分データを受信すると、差分データに基づいて設備データを更新する。
【００１９】
本実施形態によれば、情報サーバ１３からのタイミング調整なしに管理装置１１，１２が情報サーバ１３にデータを通知するので、情報サーバ１３は、管理装置１１，１２の動作タイミングを制御する必要がなく、処理が容易になる。管理装置１１，１２が自律的なタイミングでデータを通知すると、情報サーバ１３や回線でのトラヒックの集中による輻輳が懸念される。しかし、本実施形態では、自律的な通知と組み合わせて、管理装置１１，１２が前回通知時から更新された差分データだけを情報サーバ１３に通知し、差分データを受信した情報サーバ１３が自身の管理している設備データを更新するという構成を採用することで、ネットワーク上のトラヒックが低減され、輻輳の可能性が緩和される。
【００２０】
なお、管理装置１１，１２は、差分データを通知するタイミングについて、情報サーバ１３から指示されなくてもよく、また相互の調整などは行わなくてもよい。管理装置１１，１２は、それぞれが自律的なタイミングで動作してよい。
【００２１】
図２は、本実施形態の監視装置の構成を示すブロック図である。図２には管理装置１１が示されているが、図１に示した管理装置１１は管理装置１２と同じ構成である。
【００２２】
図２を参照すると、管理装置１１は、管理部２１、差分検出部２２、およびデータ転送部２３を有している。
【００２３】
管理部２１は、設備の状態や管理情報に関する設備データを管理している。管理部２１における設備データは、前回通知時から更新された部分が識別できるようになっている。
【００２４】
差分検出部２２は、定期的に、管理部２１で管理されている最新の設備データと前回通知時の設備データとの差分を検出し、今回の通知で通知対象となる差分データを生成する。
【００２５】
データ転送部２３は、差分検出部２２で生成された差分データをネットワーク１４経由で情報サーバ１３に通知する。
【００２６】
図３は、本実施形態の情報サーバの構成を示すブロック図である。図３を参照すると、情報サーバ１３はデータ受信部３１とデータ管理部３２を有している。
【００２７】
データ受信部３１は、各拠点の管理装置１１，１２からネットワーク１４を介して差分データを受信する。
【００２８】
データ管理部３２は、各拠点の設備に関する設備データを管理しており、データ受信部３１の受信した差分データに基づき、該当する拠点の設備に関する設備データを更新する。また、データ管理部３２は、管理している各拠点の設備に関する設備データを画面に表示することができる。
【００２９】
図４は、本実施形態の管理システムの動作を示すフローチャートである。図４を参照すると、まず管理装置１１，１２が設備の設備データを取得する（ステップ１０１）。続いて、管理装置１１，１２は、取得した設備データにおける、前回通知時の設備データから更新されている部分を検出し、差分データを生成する（ステップ１０２）。次に管理装置１１，１２は、生成した差分データをネットワーク１４経由で情報サーバ１３に転送する（ステップ１０３）。差分データを受信した情報サーバ１３は、自身の管理している各拠点の設備の設備データを、受信した差分データに基づいて更新する（ステップ１０４）。
【００３０】
なお、本実施形態では、情報サーバ１３が各拠点の設備に関する設備データを画面に表示することができるものとしたが、本発明はこれに限定されるものではない。他の実施形態として、情報サーバ１３から表示端末に設備データを提供することができてもよい。例えば、表示装置を用いてネットワーク１４経由で情報サーバ１３にアクセスし、情報サーバ１３から設備データを取得して表示するようにしてもよい。
【００３１】
図５は、他の実施形態の管理システムの構成を示すブロック図である。図５の管理システムは、情報サーバ５１、管理装置１１，１２、および表示端末５２を有している。管理装置１１，１２は図２に示したものと同じものである。
【００３２】
情報サーバ５１は、図３に示した情報サーバ１３の機能に加えて、アクセスしてきた表示端末５２に設備データを提供する機能を備えている。
【００３３】
表示端末５２は、情報サーバ５１にアクセスし、設備データを取得して画面に表示する。また、表示端末５２から情報サーバ５１経由で各拠点の管理装置１１，１２に、設備に対する制御を指示することができてもよい。
【００３４】
図６は、他の実施形態の情報サーバの構成を示すブロック図である。図６を参照すると、情報サーバ５１は、データ受信部３１、データ管理部３２、およびデータ提供部６１を有している。データ受信部３１およびデータ管理部３２は図３に示したものと同じものである。データ提供部６１は、アクセスしてきた表示端末５２に、データ管理部３２によって管理されている各拠点の設備に関する設備データを提供する。
【００３５】
次に、ビル監視制御システムにおける具体的な実施例について説明する。
【００３６】
図７は、本実施例のビル監視制御システムの構成を示すブロック図である。図７を参照すると、ビル監視制御システムは、広域に点在する拠点Ａ〜Ｃのビルの設備を管理するシステムであり、管理装置７１，７２、情報サーバ７３、および拠点管理端末７５を有している。
【００３７】
管理装置７１は拠点Ａに配置され、管理装置７２は拠点Ｂに配置されている。情報サーバ７３は拠点Ｃに配置されている。管理装置７１，７２はネットワーク７４を介して情報サーバ７３に接続されている。拠点管理端末７５はネットワーク７４経由で情報サーバ７３にアクセスすることができる。
【００３８】
管理装置７１，７２は、図５の管理装置１１，１２に相当し、設備の監視および制御を行い、設備データの更新された部分の差分データを情報サーバ７３に通知する。
【００３９】
情報サーバ７３は、情報提供サーバ７９が図５の情報サーバ５１に相当する機能を備えており、各拠点Ａ〜Ｃの設備の設備データを管理し、各管理装置７１，７２から通知された差分データをもとに設備データを更新する。また、情報サーバ７３は、拠点Ｃの設備を管理する管理装置としての機能も兼ね備えており、設備の監視および制御を行い、設備データの更新された部分の差分データを検出する。検出した差分データは、情報提供サーバ７９にて他の拠点Ａ，Ｂと同様に処理される。なお、ここでは、情報提供サーバ７９における処理を共通化するために、拠点Ｃについても差分データを用いて設備データを更新することとした。しかし、差分データをネットワーク７４で転送するわけではないので、監視制御装置７６で管理されている設備データをそのまま情報提供サーバ７９で利用することにしてもよい。
【００４０】
拠点管理端末７５は、図５の表示端末５２に相当し、情報サーバ７３の情報提供サーバ７９にアクセスし、各拠点の設備データを取得して画面に表示する。
【００４１】
管理装置７１，７２は、データ転送端末７８、差分検出部７７、および監視制御装置７６を有している。情報サーバ７３は、情報提供サーバ７９、差分検出部７７、および監視制御装置７６を有している。監視制御装置７６は、図２の管理部２１に相当する装置である。差分検出部７７は、図２の差分検出部２２に相当する。差分検出部７７は独立した装置としてもよく、また監視制御装置７６など他装置内に実装してもよい。データ転送端末７８は、図２のデータ転送部２３に相当する装置である。
【００４２】
図８は、本実施例における管理装置の動作を示すフローチャートである。
【００４３】
先ず、データ更新時の動作について説明する。
【００４４】
監視制御装置７６は、設備データ３００の更新時、データが更新されたことを示すデータ更新通知を差分検出部７７に送る（ステップ２００）。データ更新通知は、例えば、設備データ３００の更新された箇所の設備ＩＤ番号とデータの種類を示す情報が含まれる。
【００４５】
差分検出部７７は、監視制御装置７６から受け取ったデータ更新通知より設備ＩＤ番号とデータの種類とを取得する（ステップ２０１）。差分検出部７７は、設備データの更新された箇所を記録するデータ更新情報３０１を予め管理している。
【００４６】
図９は、データ更新情報の一例を示す図である。この例では、設備データには状態データと管理データとが含まれている。状態データは、アラームの有無等の設備の状態を示し、主に監視の対象となる。管理データは、設備の属性やパラメータ等を示し、主に設定の対象となる。図９のデータ更新情報を参照すると、設備機器を識別するＩＤ番号（設備機器ＩＤ（Ｉｄｅｎｔｉｆｉｃａｔｉｏｎ）番号）に対応し、状態データおよび管理データの各項目について、更新があったか否かが設定されている。この例のデータ更新情報には、更新された項目が“１”で示され、更新されていない項目が“０”で示されている。
【００４７】
差分検出部７７は、データ更新通知から取得した設備ＩＤ番号をキーとしてデータ更新情報３０１を検索し、取得したデータ更新内容に応じた箇所に、データが更新された旨を設定する（ステップ２０２）。以上の動作によってデータ更新情報３０１が生成される。
【００４８】
次に、転送対象データ３０２を生成するときの動作について説明する。
【００４９】
ここでは、一例として、転送対象データの生成をタイマによって定期的に起動することにする。差分検出部７７は、タイマより起動されると（ステップ２０３）、先ず、データ更新情報３０１を取得する（ステップ２０４）。
【００５０】
次に、差分検出部７７は、データ更新情報３０１を参照して、設備データ３００の前回転送時から変更された部分を抽出する（ステップ２０５）。次に、差分検出部７７は、変更された部分の転送対象データ（差分データ）３０２を生成する（ステップ２０６）。以上の動作によって転送対象データ３０２が生成される。
【００５１】
転送対象データ３０２の生成が完了したら、差分検出部７７は、転送対象データ生成完了通知をデータ転送端末７８に送信する（ステップ２０７）。差分検出部７７は、データ転送端末７８へ転送対象データの転送を完了したとき、初期化処理としてデータ更新情報３０１の全ての値を“０”にクリアする。
【００５２】
転送対象データ生成完了通知を受け取ったデータ転送端末７８は、ネットワーク７４経由で情報提供サーバ７９へ転送対象データ３０２を転送する（ステップ２０８）。
【００５３】
また、図示していないが、監視制御装置７６の起動後あるいは再起動後の初回転送時、差分検出部７７は全ての設備データを情報提供サーバ７９に転送する。
【図面の簡単な説明】
【００５４】
【図１】本実施形態の管理システムの構成を示すブロック図である。
【図２】本実施形態の監視装置の構成を示すブロック図である。
【図３】本実施形態の情報サーバの構成を示すブロック図である。
【図４】本実施形態の管理システムの動作を示すフローチャートである。
【図５】他の実施形態の管理システムの構成を示すブロック図である。
【図６】他の実施形態の情報サーバの構成を示すブロック図である。
【図７】本実施例のビル監視制御システムの構成を示すブロック図である。
【図８】本実施例における管理装置の動作を示すフローチャートである。
【図９】データ更新情報の一例を示す図である。
【符号の説明】
【００５５】
１１，１２，７１，７２    管理装置
１３，５１，７３    情報サーバ
１４，７４    ネットワーク
２１    管理部
２２    差分検出部
２３    データ転送部
３１    データ受信部
３２    データ管理部
５２    表示端末
６１    データ提供部
７５    拠点管理端末
７６    監視制御装置
７７    差分検出部
７８    データ転送端末
７９    情報提供サーバ
【図１】
2009146032.tif 000003
【図２】
2009146032.tif 000004
【図３】
2009146032.tif 000005
【図４】
2009146032.tif 000006
【図５】
2009146032.tif 000007
【図６】
2009146032.tif 000008
【図７】
2009146032.tif 000009
【図８】
2009146032.tif 000010
【図９】
2009146032.tif 000011